(57)【要約】２つ（異なるタイプの可能性もある）の電子透かしをマルチメディアのコンテンツに付与されるとすると、両方のメッセージを抽出する素直な手法は、２つの検出器を独立して適用することである。ジオメトリ抽出（例えば、拡大縮小を元に戻す）が電子透かし検出の全体の一部である場合、このことは、ジオメトリ抽出が両方の検出において重複されることを意味する。特に、組み合わせた検出は、不必要に複雑である。本発明は、この問題に対する解決を提供する。第１の電子透かし検出器は、ジオメトリ抽出パラメータを第２の電子透かし検出器に利用可能にする。これにより、組み合わせた検出の複雑さを低減する。
2004519166.tif 000002
【特許請求の範囲】
【請求項１】
第１の電子透かしを検出するための第１電子透かし検出器及び第２の電子透かしを検出するための第２電子透かし検出器を有する情報信号内のマルチの電子透かしを検出するための装置において、前記電子透かしを検出するために必要なパラメータを前記情報信号から取り出し、当該パラメータを第１及び第２検出器に付与するためのパラメータ抽出手段を有することを特徴とする装置。
【請求項２】
前記パラメータ抽出手段が第１電子透かし検出器に組込まれ、第１電子透かし検出器が抽出した前記パラメータを第２電子透かし検出器に付与する、請求項１に記載の装置。
【請求項３】
前記パラメータが前記情報信号のジオメトリを識別する、請求項１又は２に記載の装置。
【請求項４】
前記パラメータが同期情報を表わす、請求項１又は２に記載の装置。
【請求項５】
第１の電子透かしを検出するための第１電子透かし検出器及び第２の電子透かしを検出するための第２電子透かし検出器を使用するステップを有する情報信号内のマルチの電子透かしを検出するための方法において、前記電子透かしを検出するために必要なパラメータを前記情報信号から取り出し、当該パラメータを第１及び第２検出器に付与するステップを有することを特徴とする方法。
【発明の詳細な説明】
【０００１】
【発明の属する技術分野】
本発明は、第１の電子透かしを検出するための第１電子透かし検出器及び第２の電子透かしを検出するための第２電子透かし検出器を有する情報信号内のマルチの電子透かしを検出するための装置に関する。
【０００２】
【従来の技術】
情報（例えば、ビデオ、音声）信号に電子透かしを埋め込む種々の方法は、従来知られている。
【０００３】
国際特許出願公報第ＷＯ９９／４５７０５号は、第１の従来の方法を開示している。この方法では、電子透かしは、ビデオ画像のエクステントにわたって小さなサイズの基本的電子透かしパターンを繰り返すことによりビデオ信号に埋め込まれる。この「タイリング」操作は、電子透かし検出プロセスが相対的に小さな空間にわたって電子透かしをサーチして、検出の信頼性を改善する。データペイロードが基本的電子透かしタイルへ符号化される。
【０００４】
国際特許出願公報第ＷＯ９９／１２３３１号は、第２の既知の埋め込み及び検出方法を開示している。この従来の方法では、電子透かしの異なるサブパターンは、画像が分割された複数の画像ブロックの選択された画像ブロックに埋め込まれる。
【０００５】
（上述の２つの方法である必要は必ずしもないが）２つのこのような異なる電子透かしの埋め込み方法をマージすることは、広く着想されている。両方の電子透かしを抽出する直裁的な態様は、第１及び第２電子透かし検出器それぞれに適用することである。このことは、両方の検出器が共通のものを持っている幾つかのタスクが重複されることを意味する。組み合わせた検出は、したがって不必要に複雑であり高価である。
【０００６】
【課題を解決するための手段】
本発明の目的は、上述の欠点を軽減することである。
【０００７】
この目的のために、情報信号内のマルチの電子透かしを検出するための方法は、前記電子透かしを検出するために必要なパラメータを前記情報信号から取り出し、当該パラメータを第１及び第２検出器に付与するステップを有することを特徴とする。組み合わせた検出の複雑さは、これにより非常に低減される。
【０００８】
典型的で重要なパラメータは、ビデオ画像のジオメトリである。多くの電子透かし技術は、画像のジオメトリ的歪みに抗する抵抗はない。このような並進、拡大縮小、回転又は伸張のような操作は、操作された画像と適用された電子透かしとの間の相関を壊す。例えば、上述の従来の電子透かし検出器は、並進に対して抗するが、画像が拡大縮小されたり回転されたり伸張されたならば電子透かしを検出する能力に欠ける。この観点では、電子透かしを施された後で疑わしい画像が受けた操作（拡大縮小、回転、伸張）を元に戻すために疑わしいビデオ画像を前処理するように提案された。本出願人の未公開のヨーロッパ出願ＥＰ００／０９０８７（出願人整理番号ＰＨＮ１７６５５）では、電子透かしのパターンの周期性を決定し、処理された疑わしい画像における電子透かしの周期性がオリジナルの画像における周期性と整合するように疑わしい画像を処理することが提案されている。米国特許第ＵＳ−Ａ−５６３６２９２号は、別個の校正信号（例えば、特定の周波数を持つ正弦波）をこの目的のために画像に付加することを開示している。第１の電子透かし検出器がジオメトリ抽出パラメータを第２の電子透かし検出器に利用できるようにさせることが、組み合わせた検出の複雑さを低減する。このことは、両方の電子透かしが同じオリジナルのジオメトリで埋め込まれるか又はジオメトリについての差が既知で埋め込まれることを仮定することに留意されたい。
【０００９】
【発明の実施の形態】
図１Ａ及び図１Ｂは、それぞれ第１及び第２の電子透かしを伴う画像を概略的に示す。第１の電子透かしは、画像にわたって基本的ノイズパターンＷを「タイリングする」ことにより得られる。ペイロードは、基本パターンにおいて符号化される。第２の電子透かしは、複数の（同一である必要はないが）サブパターンである。ペイロードは、画像の特定のブロックにおけるこのようなサブパターンの存在又は不在において符号化される。
【００１０】
図２は、本発明による装置の実施例を概略的に示す。この装置は、国際特許出願公報第ＷＯ９９／４５７０５号で開示されたタイプであるとここでは見なされる第１の電子透かし検出器１０を有する。検出器１０は、バッファ内に１２８ｘ１２８のピクセルの画像ブロックを「折りたたみ」し、電子透かしタイルＷを前記バッファのコンテンツに相関付けることにより電子透かしＷ（図１Ａ）を検出する。検出器は、画像の並進に不変である。マルチの電子透かしされた信号がｙｉ＝ｘｉ＋ｗｉ＋ｖｉにより表わされ、ここでｘｉはオリジナルの信号を表し，ｗｉ及びｖｉは２つの異なる電子透かしを表す。インデックスｉは、画像に関して電子透かしの位置を表わす。この装置は、マークされた信号ｙｉのシフトされたバージョンｚｉ＝ｙｉ−ｋを入力する。国際特許出願公報第ＷＯ９９／４５７０５号で開示されたように、ｚｉにおけるｗｉの検出は、ＳＰＯＭＦ（Ｓｙｍｍｅｔｒｉｃａｌ Ｐｈａｓｅ Ｏｎｌｙ Ｍａｔｃｈｅｄ Ｆｉｌｔｅｒ）１１により導かれる。このプロセスは、電子透かしＷの存在か不在かを検出するしきい段１２に適用される決定変数
【数１】
2004519166.tif 000003
を提供する。フィルタ１２はまた、全ての可能性あるシフトｌにわたってシフトｋの値をインヒーレントに検索する。第１の電子透かし検出器１０は当該シフトｋを第２の電子透かし検出器に付与する。ｚｉにおける第２の電子透かしｖｉを検出する第２の検出器は、画像が作用を受けた並進を検索する必要はもはやない。ｗｉの検出からすでに利用可能である。検出器２０は、この実施例において従来の検出器２２より前にベクトルｋにわたって画像をシフトする処理回路２１を有する。この実施例では、第２の検出器に付与されるパラメータは同期情報を表わす。
【００１１】
装置の第２の実施例では、第１の電子透かし検出器は、埋め込みの時にそのオリジナルのジオメトリへ画像を保存する必要があったアフィン変換のパラメータを第２の検出器に利用可能にさせる。図３Ａ−図３Ｃは、電子透かしＷを持つ画像について拡大縮小、回転及びシャリングそれぞれの効果を示す。図４Ａ−４Ｃは、この実施例における電子透かし検出器１０のフィルタ１１により供給される相関パターンを示す。拡大縮小、回転又はシャリングを表わす２つのパラメータｋ１及びｋ２は、画像が作用を受けた操作を元に戻すために第２の電子透かし検出器２０の処理ユニット２１に今付与される。択一的には、パラメータｋ１及びｋ２は、第１及び／又は第２の基準の電子透かしを同じ拡大縮小、回転又はシャリング操作を行うのに使用され、画像及び基準の電子透かしは再整列される。
【００１２】
本発明を要約すると、２つ（異なるタイプの可能性もある）の電子透かしをマルチメディアのコンテンツに付与されるとすると、両方のメッセージを抽出する素直な手法は、２つの検出器を独立して適用することである。ジオメトリ抽出（例えば、拡大縮小を元に戻す）が電子透かし検出の全体の一部である場合、このことは、ジオメトリ抽出が両方の検出において重複されることを意味する。特に、組み合わせた検出は、不必要に複雑である。本発明は、この問題に対する解決を提供する。第１の電子透かし検出器は、ジオメトリ抽出パラメータを第２の電子透かし検出器に利用可能にする。これにより、組み合わせた検出の複雑さを低減する。
【図面の簡単な説明】
【図１Ａ】第１の電子透かしを伴う画像を概略的に示す。
【図１Ｂ】第２の電子透かしを伴う画像を概略的に示す。
【図２】本発明によるマルチの電子透かしを検出するための装置の実施例を概略的に示す。
【図３Ａ】電子透かしされた画像上の拡大縮小の効果を示す図である。
【図３Ｂ】電子透かしされた画像上の回転の効果を示す図である。
【図３Ｃ】電子透かしされた画像上のシャリングの効果を示す図である。
【図４Ａ】図２に示された電子透かし検出器のフィルタにより供給された相関パターンを示す。
【図４Ｂ】図２に示された電子透かし検出器のフィルタにより供給された他の相関パターンを示す。
【図４Ｃ】図２に示された電子透かし検出器のフィルタにより供給された他の相関パターンを示す。
【国際公開パンフレット】
2004519166.tif 000004
2004519166.tif 000005
2004519166.tif 000006
2004519166.tif 000007
2004519166.tif 000008
2004519166.tif 000009
2004519166.tif 000010
2004519166.tif 000011
2004519166.tif 000012
【国際調査報告】
2004519166.tif 000013
2004519166.tif 000014
2004519166.tif 000015